(57)【特許請求の範囲】
【請求項１】
情報表示装置を介して表示装置に情報を表示させる情報端末装置であって、
前記情報表示装置と無線接続が確立される前に、前記情報表示装置から、前記情報表示装置と前記情報端末装置とが無線接続を確立するために用いられる無線ネットワーク情報を含む信号をＳＳＩＤビーコンを利用して受信し、当該受信した信号を解析し、前記無線ネットワーク情報を取得する第１の信号解析部と、
前記表示装置に表示させる情報を含む信号を生成し、前記情報表示装置に、当該生成した信号を前記ＳＳＩＤビーコンを利用して送信する第１の信号生成部と、
前記無線ネットワーク情報を用いて、前記情報表示装置に無線接続を要求するネットワーク接続部とを備え、
前記第１の信号生成部は、前記情報表示装置と無線接続が確立されるまでの間、無線接続の進捗状況を前記ＳＳＩＤビーコンに含めて前記情報表示装置に送信することを特徴とする、情報端末装置。
【請求項２】
前記第１の信号生成部は、前記情報表示装置との無線接続が失敗したと判断した場合に、無線接続が失敗した旨を前記ＳＳＩＤビーコンに含めて、前記情報表示装置に送信することを特徴とする、請求項１に記載の情報端末装置。
【請求項３】
前記情報端末装置は、
前記無線接続の失敗を検出する接続状況検出部と、
前記無線接続の進捗状況から前記無線接続の失敗原因を特定する原因特定部と、
前記無線接続の失敗原因に対する解決方法を提示する解決方法提示部とをさらに備える、請求項１に記載の情報端末装置。
【請求項４】
無線接続の対象となる前記情報表示装置と、前記表示装置とが複数台存在する場合、
前記第１の信号生成部は、前記複数台の表示装置に表示させる情報を含む信号を生成し、前記複数台の情報表示装置に、当該生成した信号を前記ＳＳＩＤビーコンを利用して送信し、前記複数台の情報表示装置との無線接続に関する情報を、前記複数台の表示装置に表示させる、請求項１に記載の情報端末装置。
【請求項５】
情報端末装置から受信した情報を表示装置に表示させる情報表示装置であって、
前記情報端末装置と無線接続が確立される前に、前記情報表示装置と前記情報端末装置とが無線接続を確立するために用いられる無線ネットワーク情報を生成すると共に、前記情報端末装置からの無線接続要求を処理するネットワーク生成部と、
前記無線ネットワーク情報を含む信号を生成し、当該生成した信号をＳＳＩＤビーコンを利用して周囲に送信する第２の信号生成部と、
前記情報端末装置から信号を前記ＳＳＩＤビーコンを利用して受信し、当該受信した信号を解析し、前記表示装置に表示させる情報を取得する第２の信号解析部と、
前記取得した情報を前記表示装置に表示させる表示部とを備え、
前記第２の信号解析部は、前記情報端末装置との無線接続が確立されるまでの間、前記情報端末装置から無線接続の進捗状況を含む前記ＳＳＩＤビーコンを受信し、
前記表示部は、前記受信した無線接続の進捗状況を前記表示装置に表示させることを特徴とする、情報表示装置。
【請求項６】
前記第２の信号解析部は、前記情報端末装置からの無線接続の進捗状況が所定時間変化しない場合に、無線接続が失敗したと判断し、
前記表示部は、前記無線接続が失敗したことを前記表示装置に表示させることを特徴とする、請求項５に記載の情報表示装置。
【請求項７】
前記第２の信号解析部は、前記情報端末装置から前記無線接続の失敗原因に対する解決方法を含む信号を前記ＳＳＩＤビーコンを利用して受信し、
前記表示部は、当該受信した失敗原因に対する解決方法を、前記表示装置に表示させることを特徴とする、請求項５に記載の情報表示装置。
【請求項８】
無線接続の対象となる前記情報端末装置が複数台存在する場合、
前記第２の信号解析部は、前記複数台の情報端末装置から無線接続に関する情報を前記ＳＳＩＤビーコンを利用して受信し、
前記表示部は、前記複数台の情報端末装置の無線接続に関する情報を、前記表示装置に表示させる、請求項５に記載の情報表示装置。
【請求項９】
前記情報表示装置は、前記表示装置に情報を表示するプロジェクタであることを特徴とする、請求項５に記載に情報表示装置。
【請求項１０】
情報端末装置が情報表示装置を介して表示装置に情報を表示させる、前記情報端末装置と前記情報表示装置とから構成される無線ネットワークシステムであって、
前記情報端末装置は、
前記情報表示装置と無線接続が確立される前に、前記情報表示装置から、前記情報表示装置と前記情報端末装置とが無線接続を確立するために用いられる無線ネットワーク情報を含む信号をＳＳＩＤビーコンを利用して受信し、当該受信した信号を解析し、前記無線ネットワーク情報を取得する第１の信号解析部と、
前記表示装置に表示させる情報を含む信号を生成し、前記情報表示装置に、当該生成した信号を前記ＳＳＩＤビーコンを利用して送信する第１の信号生成部と、
前記無線ネットワーク情報を用いて、前記情報表示装置に無線接続を要求するネットワーク接続部とを備え、
前記第１の信号生成部は、前記情報表示装置と無線接続が確立されるまでの間、無線接続の進捗状況を前記ＳＳＩＤビーコンに含めて前記情報表示装置に送信し、
前記情報表示装置は、
前記情報端末装置と無線接続が確立される前に、前記無線ネットワーク情報を生成すると共に、前記情報端末装置からの無線接続要求を処理するネットワーク生成部と、
前記無線ネットワーク情報を含む信号を生成し、当該生成した信号を前記ＳＳＩＤビーコンを利用して周囲に送信する第２の信号生成部と、
前記情報端末装置から信号を前記ＳＳＩＤビーコンを利用して受信し、当該受信した信号を解析し、前記表示装置に表示させる情報を取得する第２の信号解析部と、
前記取得した情報を前記表示装置に表示させる表示部とを備え、
前記第２の信号解析部は、前記情報端末装置との無線接続が確立されるまでの間、前記情報端末装置から無線接続の進捗状況を含む前記ＳＳＩＤビーコンを受信し、
前記表示部は、当該受信した無線接続の進捗状況を前記表示装置に表示させることを特徴とする、無線ネットワークシステム。
【請求項１１】
情報表示装置を介して表示装置に情報を表示させる、情報端末装置が実施する方法であって、
前記情報表示装置と無線接続が確立される前に、前記情報表示装置から、前記情報表示装置と前記情報端末装置とが無線接続を確立するために用いられる無線ネットワーク情報を含む信号をＳＳＩＤビーコンを利用して受信するステップと、
前記情報表示装置から受信した信号を解析し、前記無線ネットワーク情報を取得するステップと、
前記表示装置に表示させる情報を含む信号を生成し、前記情報表示装置に、当該生成した信号を前記ＳＳＩＤビーコンを利用して送信するステップと、
前記無線ネットワーク情報を用いて、前記情報表示装置に無線接続を要求するステップとを実施し、
前記送信するステップでは、前記情報表示装置と無線接続が確立されるまでの間、無線接続の進捗状況を前記ＳＳＩＤビーコンに含めて前記情報表示装置に送信する、方法。
【請求項１２】
情報端末装置から受信した情報を表示装置に表示させる、情報表示装置が実施する方法であって、
前記情報端末装置と無線接続が確立される前に、前記情報表示装置と前記情報端末装置とが無線接続を確立するために用いられる無線ネットワーク情報を生成するステップと、
前記無線ネットワーク情報を含む信号を生成し、当該生成した信号をＳＳＩＤビーコンを利用して周囲に送信するステップと、
前記情報端末装置から信号を前記ＳＳＩＤビーコンを利用して受信するステップと、
前記情報端末装置から受信した信号を解析し、前記表示装置に表示させる情報を取得するステップと、
前記取得した情報を前記表示装置に表示させるステップと、
前記情報端末装置からの無線接続要求を処理するステップと
を実施し、
前記受信するステップでは、前記情報端末装置との無線接続が確立されるまでの間、前記情報端末装置から無線接続の進捗状況を含む前記ＳＳＩＤビーコンを受信し、
前記表示させるステップでは、前記受信した無線接続の進捗状況を前記表示装置に表示させる、方法。
【請求項１３】
情報表示装置を介して表示装置に情報を表示させる、情報端末装置が実行するプログラムを格納した記憶媒体であって、
前記情報表示装置と無線接続が確立される前に、前記情報表示装置から、前記情報表示装置と前記情報端末装置とが無線接続を確立するために用いられる無線ネットワーク情報を含む信号をＳＳＩＤビーコンを利用して受信するステップと、
前記情報表示装置から受信した信号を解析し、前記無線ネットワーク情報を取得するステップと、
前記表示装置に表示させる情報を含む信号を生成し、前記情報表示装置に、当該生成した信号を前記ＳＳＩＤビーコンを利用して送信するステップと、
前記無線ネットワーク情報を用いて、前記情報表示装置に無線接続を要求するステップとを実行し、
前記送信するステップでは、前記情報表示装置と無線接続が確立されるまでの間、無線接続の進捗状況を前記ＳＳＩＤビーコンに含めて前記情報表示装置に送信する、プログラムを格納した記憶媒体。
【請求項１４】
情報端末装置から受信した情報を表示装置に表示させる、情報表示装置が実行するプログラムを記憶した記憶媒体であって、
前記情報端末装置と無線接続が確立される前に、前記情報表示装置と前記情報端末装置とが無線接続を確立するために用いられる無線ネットワーク情報を生成するステップと、
前記無線ネットワーク情報を含む信号を生成し、当該生成した信号をＳＳＩＤビーコンを利用して周囲に送信するステップと、
前記情報端末装置から信号を前記ＳＳＩＤビーコンを利用して受信するステップと、
前記情報端末装置から受信した信号を解析し、前記表示装置に表示させる情報を取得するステップと、
前記取得した情報を前記表示装置に表示させるステップと、
前記情報端末装置からの無線接続要求を処理するステップとを実行し、
前記受信するステップでは、前記情報端末装置との無線接続が確立されるまでの間、前記情報端末装置から無線接続の進捗状況を含む前記ＳＳＩＤビーコンを受信し、
前記表示させるステップでは、前記受信した無線接続の進捗状況を前記表示装置に表示させる、プログラムを記憶した記憶媒体。
【発明の詳細な説明】
【技術分野】
【０００１】
本発明は、無線ネットワークを介して接続される情報端末装置と情報表示装置とを備えた無線ネットワークシステムにおいて、無線接続を確立する前に情報端末装置の接続処理の進捗状況を、情報表示装置を介して、表示装置に表示させる無線ネットワークシステムに関するものである。
【背景技術】
【０００２】
近年、無線ネットワークが普及し、オフィスや学校等の多くの場所でネットワーク（無線ＬＡＮ等）が構築されている。また、この無線ネットワークを利用して、プレゼンテーション資料を、その資料を保存している機器とは別の機器に無線で転送して発表を行う会議等の機会が多くなっている。しかし、上記機器間で無線接続をする際に、機器にインストールされているソフトウェアにより、セキュリティを高めるために通信を制限されたりする場合があり、無線接続が失敗する可能性があった。
【０００３】
無線接続に関して、何らかの不具合が発生し、無線接続が失敗した場合に、不具合の原因を推測して、その対処方法を利用者に通知するネットワーク接続診断プログラムが開示されている（例えば、特許文献１）。特許文献１に記載の発明では、ネットワーク診断プログラムは、有線ＬＡＮデバイス及び無線ＬＡＮデバイスそれぞれのネットワーク接続に関する問題の発生を検出したとき、問題の発生箇所と対応策とを示すメッセージを表示する。これにより、ユーザに対してネットワーク接続に関する問題を解決するためのヒントを提供していた。
【先行技術文献】
【特許文献】
【０００４】
【特許文献１】特開２００４−２３４３３０号公報
【発明の概要】
【発明が解決しようとする課題】
【０００５】
しかしながら、前記従来のネットワーク接続診断システムは、パソコンから取得可能な情報（無線スイッチのＯＦＦ等）に起因する接続不具合の原因を特定可能としたが、ファイアウォール等のソフトウェアに起因する不具合は特定できないといった問題点を有していた。この場合、接続不具合の原因と想定される項目に対する解決方法を全てユーザに提示せざるを得ず、ユーザは接続不具合の解決に必要以上の手間を要していた。また、接続確立までは一切進捗状況が分からないため、ユーザは接続状況に対して不安感を抱えるといった問題点も有していた。
【０００６】
それ故に、本発明は、上記問題点を解決するために、無線接続が確立される前に認識可能なＳＳＩＤビーコン等の信号を用いて、無線接続確立前に情報端末装置と情報表示装置との間で無線接続に関する情報を交換し、無線接続が確立するまでの状況をユーザに提示することができる情報端末装置、情報表示装置、及び無線ネットワークシステムを提供することを目的とする。
【課題を解決するための手段】
【０００７】
本発明は、情報表示装置を介して表示装置に情報を表示させる情報端末装置に向けられている。そして、上記目的を達成するために、本発明の情報端末装置は、情報表示装置と無線接続が確立される前に、情報表示装置から、情報表示装置と情報端末装置とが無線接続を確立するために用いられる無線ネットワーク情報を含む信号を受信し、当該受信した信号を解析し、無線ネットワーク情報を取得する第１の信号解析部と、表示装置に表示させる情報を含む信号を生成し、情報表示装置に送信する第１の信号生成部と、無線ネットワーク情報を用いて、情報表示装置に無線接続を要求するネットワーク接続部とを備える。
【０００８】
また、本発明は、情報端末装置から受信した情報を表示装置に表示させる情報表示装置にも向けられている。そして、上記目的を達成するために、本発明の情報表示装置は、情報端末装置と無線接続が確立される前に、情報表示装置と情報端末装置とが無線接続を確立するために用いられる無線ネットワーク情報を生成すると共に、情報端末装置からの無線接続要求を処理するネットワーク生成部と、無線ネットワーク情報を含む信号を生成し、周囲に送信する第２の信号生成部と、情報端末装置から信号を受信し、当該受信した信号を解析し、表示装置に表示させる情報を取得する第２の信号解析部と、取得した情報を表示装置に表示させる表示部とを備える。
【０００９】
また、本発明は、情報端末装置が情報表示装置を介して表示装置に情報を表示させる、情報端末装置と情報表示装置とから構成される無線ネットワークシステムにも向けられている。そして、上記目的を達成するために、本発明の無線ネットワークシステムにおいて、情報端末装置は、情報表示装置と無線接続が確立される前に、情報表示装置から、情報表示装置と情報端末装置とが無線接続を確立するために用いられる無線ネットワーク情報を含む信号を受信し、当該受信した信号を解析し、無線ネットワーク情報を取得する第１の信号解析部と、表示装置に表示させる情報を含む信号を生成し、情報表示装置に送信する第１の信号生成部と、無線ネットワーク情報を用いて、情報表示装置に無線接続を要求するネットワーク接続部とを備える。また、情報表示装置は、情報端末装置と無線接続が確立される前に、無線ネットワーク情報を生成すると共に、情報端末装置からの無線接続要求を処理するネットワーク生成部と、無線ネットワーク情報を含む信号を生成し、周囲に送信する第２の信号生成部と、情報端末装置から信号を受信し、当該受信した信号を解析し、表示装置に表示させる情報を取得する第２の信号解析部と、取得した情報を表示装置に表示させる表示部とを備える。
【００１０】
また、上述した情報端末装置が備える、第１の信号解析部、第１の信号生成部、及びネットワーク接続部が行うそれぞれの処理は、情報表示装置を介して表示装置に情報を表示させる、情報端末装置が実施する方法としても捉えることができる。上記方法は、情報表示装置と無線接続が確立される前に、情報表示装置から、情報表示装置と情報端末装置とが無線接続を確立するために用いられる無線ネットワーク情報を含む信号を受信するステップと、情報表示装置から受信した信号を解析し、無線ネットワーク情報を取得するステップと、表示装置に表示させる情報を含む信号を生成し、情報表示装置に送信するステップと、無線ネットワーク情報を用いて、情報表示装置に無線接続を要求するステップとを実施する。
【００１１】
また、上述した情報表示装置が備える、ネットワーク生成部、第２の信号生成部、第２の信号解析部、及び表示部が行うそれぞれの処理は、情報端末装置から受信した情報を表示装置に表示させる、情報表示装置が実施する方法としても捉えることができる。上記方法は、情報端末装置と無線接続が確立される前に、情報表示装置と情報端末装置とが無線接続を確立するために用いられる無線ネットワーク情報を生成するステップと、無線ネットワーク情報を含む信号を生成し、周囲に送信するステップと、情報端末装置から信号を受信するステップと、情報端末装置から受信した信号を解析し、表示装置に表示させる情報を取得するステップと、取得した情報を表示装置に表示させるステップと、情報端末装置からの無線接続要求を処理するステップとを実施する。
【００１２】
好ましくは、情報端末装置が実施する方法、及び情報表示装置が実施する方法は、一連の処理手順をＣＰＵに実行させるためのプログラムの形式で提供される。このプログラムは、コンピュータ読み取り可能な記憶媒体に記憶されてもよい。
【発明の効果】
【００１３】
以上のように、本発明に係る情報端末装置及び情報表示装置は、情報表示装置と無線接続が確立される前に認識可能なＳＳＩＤ等の信号に、情報表示装置との無線接続に関する情報を含ませることにより、接続処理の状況を表示装置に表示することが可能となる。これにより、ユーザが無線接続が確立するまでの状況を把握できるようになる。また、情報端末装置が、接続処理の進捗状況を段階的にＳＳＩＤ等の信号に含めて情報表示装置に送信することによって、ユーザが無線接続が確立するまでの進捗状況を段階的に把握できるようになる。
【００１４】
また、情報表示装置が情報端末装置から受信した接続処理の状況を解析することで、接続失敗を検知した場合には、表示装置に接続が失敗した旨を表示することができる。これにより、ユーザが接続に失敗したことをすぐに把握できるようになる。また、情報表示装置から情報端末装置に接続失敗した旨をフィードバックすることで、接続処理のどの段階で失敗したのかを情報端末装置で把握することが可能となる。これにより、接続失敗の原因の特定が容易となり、ユーザに対して的確な問題解決方法を提示することができるようになる。
【００１５】
本発明のこれらおよび他の目的、特徴、局面、効果は、添付図面と照合して、以下の詳細な説明から一層明らかになるであろう。
【図面の簡単な説明】
【００１６】
【図１】本発明の実施の形態１に係る無線ネットワークシステムの構成図
【図２】本発明の実施の形態１に係る情報端末装置１００及び情報表示装置２００の構成例を示すブロック図
【図３】本発明の実施の形態１に係る情報端末装置１００及び情報表示装置２００の動作の一例を示すフローチャート
【図４】本発明の実施の形態２に係る情報端末装置１００及び情報表示装置２００の動作の一例を示すフローチャート
【図５】本発明の実施の形態３に係る情報端末装置１００及び情報表示装置２００の動作の一例を示すフローチャート
【図６】本発明の実施の形態４に係る情報端末装置１００及び情報表示装置２００の構成例を示すブロック図
【図７Ａ】本発明の実施の形態４に係る情報端末装置１００ａ及び情報表示装置２００の動作の一例を示すフローチャート
【図７Ｂ】本発明の実施の形態４に係る情報端末装置１００ａ及び情報表示装置２００の動作の一例を示すフローチャート
【図８】本発明の実施の形態５に係る無線ネットワークシステムの構成図
【図９】本発明の実施の形態５に係る無線ネットワークシステムの動作の一例を示すフローチャート
【図１０】本発明の実施の形態６に係る無線ネットワークシステムの構成図
【図１１】本発明の実施の形態６に係る無線ネットワークシステムの動作の一例を示すフローチャート
【発明を実施するための形態】
【００１７】
以下に、本発明の各実施の形態について、図面を参照しながら説明する。なお、本実施の形態では、情報端末装置にパソコンを、情報表示装置にプロジェクタを用いて説明するが、これに限られるものではない。情報端末装置は、パソコンでなくても、情報表示装置と無線接続できる装置であれば、どのような装置であっても構わない。また、情報表示装置は、プロジェクタでなくても、情報端末装置と無線接続でき、表示装置に情報を表示することができる装置であれば、どのような装置であっても構わない。
【００１８】
（実施の形態１）
図１は、本発明の実施の形態１に係る無線ネットワークシステムの構成図である。図１において、無線ネットワークシステムは、パソコンに代表される情報端末装置１００と、プロジェクタに代表される情報表示装置２００とで構成される。情報端末装置１００と情報表示装置２００とは、無線ＬＡＮ等で構成される無線ネットワークを介して接続される。情報表示装置２００は、外部に設置された表示装置４００に情報を表示する。なお、情報表示装置２００は、表示装置４００を内蔵するものであってもよい。
【００１９】
情報端末装置１００と情報表示装置２００とは、信号Ａ３０１と、信号Ｂ３０２とをＳＳＩＤビーコンを利用して送受信する。なお、情報端末装置１００と情報表示装置２００とは、信号Ａ３０１と信号Ｂ３０２とをＳＳＩＤビーコン以外の信号を用いて送受信してもよい。例えば、情報端末装置１００と情報表示装置２００とは、無線接続を確立する前に認識可能であり、信号Ａ３０１と信号Ｂ３０２とを含めることが可能な信号であれば、ＳＳＩＤビーコンの代わりに利用することができる。
【００２０】
図２は、本発明の実施の形態１に係る情報端末装置１００及び情報表示装置２００の構成例を示すブロック図である。図２において、情報端末装置１００は、第１の信号解析部１０１、第１の信号生成部１０２、及びネットワーク接続部１０３を備える。第１の信号解析部１０１は、ＳＳＩＤビーコンに含まれる信号Ｂ３０２を解析して、情報表示装置２００が生成した無線ネットワーク情報を得る。無線ネットワーク情報については後述する。第１の信号生成部１０２は、第１の信号解析部１０１で得られた情報、及び情報端末装置１００のユーザ情報（例えば、ユーザ名やアドレス情報等の情報端末装置１００の利用者を特定可能な情報）等に基づいて、表示装置４００に表示させる情報を含む信号Ａ３０１を生成する。ネットワーク接続部１０３は、情報表示装置２００に無線接続を要求する。
【００２１】
図２において、情報表示装置２００は、ネットワーク生成部２０１、第２の信号生成部２０２、第２の信号解析部２０３、及び表示部２０４を備える。ネットワーク生成部２０１は、ＳＳＩＤ（Service Set Identifier）等に代表される無線ネットワーク情報を生成する。また、ネットワーク生成部２０１は、情報端末装置１００からの無線接続要求を処理する。第２の信号生成部２０２は、ネットワーク生成部２０１が生成した無線ネットワーク情報と、情報表示装置２００に関する情報（例えば、情報表示装置２００のＩＰアドレス等）とに基づいて、信号Ｂ３０２を生成する。第２の信号解析部２０３は、情報端末装置１００が生成した信号Ａ３０１を解析する。表示部２０４は、情報端末装置１００から受信した情報を表示装置４００に表示する。
【００２２】
無線ネットワークシステムにおいて、情報表示装置２００が生成した無線ネットワーク情報に、情報端末装置１００から無線接続を行う。本発明では、無線接続が確立される前に、情報表示装置２００が、情報端末装置１００から受信した情報を表示装置４００に表示する。その際の情報端末装置１００と情報表示装置２００との動作について、図３のフローチャートを用いて説明する。
【００２３】
図３は、本発明の実施の形態１に係る情報端末装置１００及び情報表示装置２００の動作の一例を示すフローチャートである。情報表示装置２００において、ネットワーク生成部２０１は、無線ネットワーク情報を生成する（ステップＳ３１）。ここで生成される無線ネットワーク情報は、情報端末装置１００と情報表示装置２００との間で無線接続を確立するために用いられる情報であり、本実施の形態ではＳＳＩＤが生成されるものとする。ＳＳＩＤには、最大３２文字までの英数字を任意に設定することができるため、情報を文字列として含めることが可能である。ネットワーク生成部２０１で生成されるＳＳＩＤには、文字列の中に情報表示装置２００の固有識別子（シリアルナンバーやＭＡＣアドレス等の装置毎に割り当てられるユニークなＩＤ）、アドレス情報、及び無線チャンネル情報等が含まれる。また、上記以外にも３２文字以内の情報であれば、ＳＳＩＤに含めることが可能である。
【００２４】
第２の信号生成部２０２は、ステップＳ３１で生成されたＳＳＩＤを含む信号Ｂ３０２を生成して、周囲に送信する（ステップＳ３２）。信号Ｂ３０２は、情報端末装置１００と情報表示装置２００との無線接続が確立される前に、情報端末装置１００に認識される必要があり、本実施の形態では上述したようにＳＳＩＤビーコンを利用している。
【００２５】
情報端末装置１００は、ステップＳ３２で送信された信号Ｂ３０２を、第１の信号解析部１０１で解析することにより、信号Ｂ３０２からＳＳＩＤに含まれる情報を取得する（ステップＳ３３）。ここでＳＳＩＤに含まれる情報とは、ＳＳＩＤの文字列に含まれている情報であり、本実施の形態では、情報表示装置２００の固有識別子、アドレス情報、及び無線チャンネル情報等である。
【００２６】
情報端末装置１００は、情報表示装置２００の固有識別子や、表示装置４００に表示させる情報などを文字列情報として含むＳＳＩＤを、第１の信号生成部１０２で生成される信号Ａ３０１によって周囲に送信する（ステップＳ３４）。本実施の形態では、信号Ｂ３０２と同様に、ＳＳＩＤビーコンを利用して信号Ａ３０１を送信する。なお、表示装置４００に表示させる情報としては、情報端末装置１００のユーザ情報（例えば、ユーザ名やアドレス情報等の情報端末装置１００の利用者を特定可能な情報）や、伝送情報（例えば、無線接続の進捗情報）等が挙げられる。
【００２７】
情報表示装置２００は、ステップＳ３４で送信された信号Ａ３０１を、第２の信号解析部２０３で解析することにより、信号Ａ３０１からＳＳＩＤに含まれる情報を得ることができる（ステップＳ３６）。本実施の形態では、情報表示装置２００は、ＳＳＩＤの文字列情報に含まれる情報の一つである情報表示装置２００の固有識別子が、自分と同じ固有識別子である場合、自分宛の情報であると判断して、ＳＳＩＤの文字列情報を次のステップに渡す。情報表示装置２００は、固有識別子が自分の固有識別子と異なる場合には、自分宛でないと判断してＳＳＩＤの文字列情報を破棄する。
【００２８】
情報表示装置２００は、ステップＳ３６で取得したＳＳＩＤの文字列情報を、表示部２０４を用いて、表示装置４００に表示する（ステップＳ３７）。
【００２９】
次に、情報端末装置１００は、ステップＳ３３で取得したＳＳＩＤに対して、ネットワーク接続部１０３から無線接続処理を要求する（ステップＳ３５）。なお、情報端末装置１００は、ステップＳ３６、ステップＳ３７よりも先に、ステップＳ３５の無線接続を開始してもよいが、無線接続が確立されるまでには時間を要するため、ステップＳ３６、ステップＳ３７が先に実施される。
【００３０】
情報表示装置２００は、情報端末装置１００からの無線接続要求を処理する。ステップＳ３５で無線接続を開始してから任意の時間経過後に、無線接続が正常に動作する場合、情報端末装置１００と情報表示装置２００との間で、無線接続が確立される（ステップＳ３１００）。なお、本実施の形態において、情報端末装置１００と情報表示装置２００とは、無線接続処理を要求するまでの動作（すなわち、ステップＳ３１〜３４、Ｓ３６、Ｓ３７の動作）については、赤外線等の通信部を用いて実現するものであってもよい。
【００３１】
このように、本実施の形態に係る無線ネットワークシステムでは、情報端末装置１００と情報表示装置２００との間で無線接続が確立される前に、情報端末装置１００が特定の情報（例えば、情報端末装置１００のユーザ情報等）を情報表示装置２００へ伝送し、表示装置４００に表示させることができる。
【００３２】
（実施の形態２）
本発明の実施の形態２に係る発明は、情報端末装置１００の接続処理の進捗状況を情報表示装置２００を介して、表示装置４００から段階的に表示できる点が実施の形態１と異なる。実施の形態２に係る情報端末装置１００及び情報表示装置２００の構成は、実施の形態１と同様であるので、図２を援用して説明を省略する。以下、実施の形態２に係る情報端末装置１００及び情報表示装置２００の動作について、実施の形態１との違いを中心に説明する。
【００３３】
図４は、本発明の実施の形態２に係る情報端末装置１００及び情報表示装置２００の動作を示すフローチャートである。図４において、ステップＳ４１、Ｓ４２、Ｓ４３は、実施の形態１のステップＳ３１、Ｓ３２、Ｓ３３と同じであるため説明を省略する。
【００３４】
ステップＳ４４において、情報端末装置１００は、ステップＳ４３で取得した情報である情報表示装置２００の固有識別子と、情報端末装置１００のユーザ情報と、伝送情報として現在の情報端末装置の無線接続の進捗状況を文字列情報として含むＳＳＩＤを、第１の信号生成部１０２が生成する信号Ａ３０１によって周囲に送信する。ここでは、情報端末装置１００の無線接続の進捗状況を「無線接続開始」とする。
【００３５】
情報表示装置２００は、ステップＳ４４で送信された信号Ａ３０１を、第２の信号解析部２０３で解析することにより、信号Ａ３０１に含まれるＳＳＩＤから、情報端末装置１００の無線接続の進捗状況「無線接続開始」と、情報端末装置１００のユーザ情報とを取得する（ステップＳ４６）。ここでも、実施の形態１と同様に、情報表示装置２００は、ＳＳＩＤの文字列情報に含まれる情報の一つである情報表示装置２００の固有識別子が、自分宛の情報であるか否かを判断して、次のステップに渡すか破棄するかを決める。固有識別子が異なる場合には、自分宛でないと判断してＳＳＩＤの文字列情報を破棄する。
【００３６】
情報表示装置２００は、ステップＳ４６で取得した情報端末装置１００の無線接続の進捗状況「無線接続開始」を、情報端末装置１００のユーザ情報と関連付けて表示部２０４を介して表示装置４００に表示する（ステップＳ４７）。
【００３７】
次に、情報端末装置１００は、ステップＳ４３で取得したＳＳＩＤに対して、ネットワーク接続部１０３から無線接続処理を要求する（ステップＳ４５）。無線接続処理において、情報端末装置１００は、まず物理層レベルで情報表示装置２００と通信し、次にＩＰレベルで情報表示装置２００と通信する。ステップＳ４８の段階では、情報端末装置１００は、ＩＰアドレス情報の設定を開始した段階にあるものとする。この際に、情報端末装置１００の無線接続の進捗状況は、「ＩＰアドレス情報設定開始」とすることができる。
【００３８】
情報端末装置１００は、ステップＳ４４での処理と同様に、情報表示装置２００の固有識別子と、情報端末装置１００のユーザ情報と、伝送情報として、情報端末装置１００の現在の無線接続の進捗状況を文字列情報として含むＳＳＩＤを、第１の信号生成部１０２が生成する信号Ａ３０１によって周囲に送信する（ステップＳ４８）。ここでは、情報端末装置１００の無線接続の進捗状況を「ＩＰアドレス情報設定開始」とする。
【００３９】
情報表示装置２００は、ステップＳ４８で送信された信号Ａ３０１を、第２の信号解析部２０３で解析することにより、信号Ａ３０１に含まれるＳＳＩＤから、情報端末装置１００の無線接続の進捗状況「ＩＰアドレス情報設定開始」と、情報端末装置１００のユーザ情報を取得することができる（ステップＳ４９）。ここでも、実施の形態１と同様に、情報表示装置２００は、ＳＳＩＤの文字列情報に含まれる情報の一つである情報表示装置２００の固有識別子が、自分宛の情報であるか否かを判断して、次のステップに渡すか破棄するかを決める。
【００４０】
情報表示装置２００は、ステップＳ４９で取得した情報端末装置１００の無線接続の進捗状況「ＩＰアドレス情報設定開始」を、情報端末装置１００のユーザ情報と関連付けて、表示部２０４から表示装置４００に表示する（ステップＳ４１０）。
【００４１】
ステップＳ４５で無線接続処理を開始してから任意の時間経過後に、無線接続処理が正常に動作する場合、情報端末装置１００と情報表示装置２００間で、無線接続が確立される（ステップＳ４１００）。
【００４２】
このように、本実施の形態に係る無線ネットワークシステムによれば、情報端末装置１００で生成される信号Ａ３０１に含まれるＳＳＩＤの文字列情報に、現在の情報端末装置１００の無線接続の進捗状況を含めることにより、情報表示装置２００の表示部２０４を介して、表示装置４００に無線接続の進捗状況を表示させることが可能となる。
【００４３】
また、本実施の形態では、ＳＳＩＤの文字列情報に含まれる現在の情報端末装置１００の無線接続の進捗状況に、「無線接続開始」と「ＩＰアドレス情報設定開始」の２段階を適用しているが、この段階を増やすことにより、更に細かく無線接続の進捗状況を段階的に表示することが可能である。
【００４４】
（実施の形態３）
本発明の実施の形態３に係る発明は、無線接続に失敗した場合に、接続に失敗した旨を表示装置４００に表示する点が、実施の形態１〜２と異なる。実施の形態３に係る情報端末装置１００及び情報表示装置２００の構成は、実施の形態１と同様であるので、図２を援用して説明を省略する。以下、実施の形態３に係る情報端末装置１００及び情報表示装置２００の動作について、実施の形態１〜２との違いを中心に説明する。
【００４５】
図５は、本発明の実施の形態３に係る情報端末装置１００及び情報表示装置２００の動作の一例を示すフローチャートである。図５において、ステップＳ５１、Ｓ５２、Ｓ５３、Ｓ５４、Ｓ５５、Ｓ５６、Ｓ５７は、実施の形態２のステップＳ４１、Ｓ４２、Ｓ４３、Ｓ４４、Ｓ４５、Ｓ４６、Ｓ４７と同じであるため説明を省略する。
【００４６】
ステップＳ５８において、無線接続処理において何らかの問題が発生したものとする。ステップＳ５８で問題が発生したため、情報端末装置１００は、ＩＰアドレス情報の設定を開始することができず、情報端末装置１００の無線接続の進捗状況は「無線接続開始」のままである。このため、定期的に送信されているＳＳＩＤビーコンに含まれるＳＳＩＤの文字列情報に含まれる無線接続の進捗状況が長時間「無線接続開始」のままとなる。従って、ステップＳ５９において、情報端末装置１００は、ステップＳ５４と同じ無線接続の進捗状況「無線接続開始」を信号Ａ３０１に含めて送信する。
【００４７】
情報表示装置２００は、ステップＳ５９で送信された信号Ａ３０１を、第２の信号解析部２０３で解析することで、信号Ａ３０１に含まれるＳＳＩＤから情報端末装置１００の無線接続の進捗状況「無線接続開始」と、情報端末装置１００のユーザ情報を取得することができる（ステップＳ５１０）。
【００４８】
情報表示装置２００は、ステップＳ５１０で取得した情報端末装置１００の無線接続の進捗状況「無線接続開始」が、所定時間変化しない場合には、無線接続に失敗したと判断して、情報端末装置１００のユーザ情報と関連付けて表示部２０４から「無線接続開始で接続失敗」を表示する（ステップＳ５１１）。その後、情報端末装置１００と情報表示装置２００とは、無線接続失敗により処理を完了する（ステップＳ５１００）。
【００４９】
このように、本実施の形態に係る無線ネットワークシステムでは、情報端末装置１００で生成される信号Ａ３０１に含まれるＳＳＩＤの文字列情報の無線接続の進捗状況が長時間（所定時間）変化していない場合に、無線接続に失敗したと判断して、情報表示装置２００の表示部２０４を介して、表示装置４００に接続失敗を表示させることが可能である。
【００５０】
また、本実施の形態では、無線接続の進捗状況が所定時間変化していない場合に、接続に失敗したと判断しているが、情報端末装置１００で接続に失敗したと判断できる場合には、ＳＳＩＤの文字列に含まれる無線接続の進捗状況を「無線接続開始で接続失敗」として、信号Ａ３０１で送信することで、情報表示装置２００の表示部２０４を介して、表示装置４００に接続に失敗した旨を表示させることも可能である。
【００５１】
（実施の形態４）
本発明の実施の形態４に係る発明は、接続失敗原因に対する解決方法をユーザに提示する点が実施の形態３と異なる。図６は、本発明の第４の実施の形態に係る情報端末装置１００ａ及び情報表示装置２００の構成例を示すブロック図である。図６において、情報端末装置１００ａは、第１の信号解析部１０１、第１の信号生成部１０２、ネットワーク接続部１０３、接続状況検出部１０４、原因特定部１０５、及び解決方法提示部１０６を備える。実施の形態４に係る情報端末装置１００ａにおいて、第１の信号解析部１０１、第１の信号生成部１０２、及びネットワーク接続部１０３の動作は、実施の形態１〜３と同様であるので説明を省略する。また、実施の形態４に係る情報表示装置２００の構成は、実施の形態１〜３と同様であるので説明を省略する。
【００５２】
情報端末装置１００ａにおいて、接続状況検出部１０４は、任意の入力手段を用いて表示装置４００から無線接続の失敗を検出する。原因特定部１０５は、接続状況検出部１０４から得られた情報を基に、接続失敗原因を特定する。解決方法提示部１０６は、原因特定部１０５で特定された接続失敗原因に対する解決方法をユーザに提示する。
【００５３】
以上のように構成された無線ネットワークシステムについて、本実施の形態では、表示装置４００に「無線接続開始で接続失敗」と表示された場合に、その失敗原因の解決方法をユーザに提示するまでの動作を、図７Ａのフローチャートを用いて以下に説明する。図７Ａは、本発明の実施の形態４に係る情報端末装置１００ａ及び情報表示装置２００の動作の一例を示すフローチャートである。なお、図７Ａにおいて、無線接続が失敗するまでの動作は、実施の形態３と同様であるので説明を省略する。
【００５４】
図７Ａを参照して、情報表示装置２００は、表示装置４００に「無線接続開始で接続失敗」の文字列を表示する（ステップＳ７１）。このとき、情報表示装置２００は、接続が失敗した段階に応じて、表示装置４００に表示する文字列の色を変えることや、表示位置を変えてもよい。
【００５５】
次に、情報端末装置１００ａにおいて、接続状況検出部１０４は、任意の入力手段を用いて接続に失敗したことを表示装置４００に表示されている情報から検出する（ステップＳ７２）。ここで、任意の入力手段とは、表示装置４００に表示されている情報に対応した情報端末装置１００ａのボタンをユーザが押下する方法や、情報端末装置１００ａにカメラ等の撮影素子を取り付け、表示装置４００に表示されている情報を撮影して文字や色を分析する方法等が挙げられる。このとき、接続状況検出部１０４は、情報端末装置１００ａのボタンを表示する色や位置を、表示装置４００に表示されている文字列の色や画面上の位置と対応させることで、ユーザが表示装置４００に表示されている情報に対応したボタンを把握しやすくなる。
【００５６】
情報端末装置１００ａは、接続状況検出部１０４より得た情報を基に、原因特定部１０５によって失敗原因を特定する（ステップＳ７３）。ここで、原因特定部１０５は、接続状況検出部１０４により接続に失敗した接続処理の段階を把握できれば、失敗原因を容易に特定することが可能となる。例えば、本実施の形態では、表示装置４００に表示されている文字列が「無線接続開始で接続失敗」となっているため、原因特定部１０５は、接続処理の無線接続開始の段階で接続に失敗したと判断できる。従って、原因特定部１０５は、無線接続開始の段階で設定を行う項目だけを調べることにより、失敗原因を特定することが可能となる。
【００５７】
情報端末装置１００ａは、原因特定部１０５が特定した失敗原因を取得し、解決方法提示部１０６によって失敗原因に対する解決方法をユーザに提示する（ステップＳ７４）。ここで、失敗原因から解決方法を導き出す方法として、データベース等を用いて過去に生じた同じ失敗原因に対する解決方法を利用する方法が挙げられる。例えば、本実施の形態では、解決方法提示部１０６は、「無線接続開始で接続失敗」となっているため、過去に同じ接続処理の段階で失敗したケースと照らし合わせることにより、無線接続開始で設定を行う項目に関する解決方法だけをユーザに提示することが可能である。
【００５８】
なお、解決方法提示部１０６は、例えば、情報端末装置１００ａが備えるディスプレイ（図示せず）に解決方法を表示することで、ユーザに解決方法を提示することができる。また、解決方法提示部１０６は、ディスプレイに表示するのと同時に音声でユーザに解決方法を提示してもよいし、ディスプレイに表示する代わりに音声だけでユーザに解決方法を提示してもよい。
【００５９】
また、図７Ｂに示すように、情報端末装置１００ａは、情報表示装置２００を介して、表示装置４００に解決方法を提示してもよい。図７Ｂを参照して、解決方法提示部１０６は、失敗原因に対する解決方法を第１の信号生成部１０２に通知する。第１の信号生成部１０２は、ＳＳＩＤビーコンに含まれるＳＳＩＤの文字列情報に解決方法を含ませた信号Ａ３０１を生成し、周囲に送信する（ステップＳ７５）。
【００６０】
情報表示装置２００は、ステップＳ７５で送信された信号Ａ３０１を、第２の信号解析部２０３で解析することにより、信号Ａ３０１に含まれるＳＳＩＤから、無線接続の失敗原因に対する解決方法を取得する（ステップＳ７６）。情報表示装置２００は、ステップＳ７６で取得した無線接続の失敗原因に対する解決方法を、情報端末装置１００ａのユーザ情報と関連付けて表示部２０４を介して、表示装置４００に表示する（ステップＳ７７）。
【００６１】
このように、本実施の形態に係る無線ネットワークシステムでは、接続処理の失敗がどの段階で発生したかを把握することにより、失敗原因の解決方法をユーザに的確に提示することができる。
【００６２】
（実施の形態５）
本発明の実施の形態５に係る発明は、情報端末装置１００の接続処理の進捗状況を複数台の情報表示装置２００を介して、複数台の表示装置４００から表示できる点が実施の形態１〜４と異なる。図８は、本発明の実施の形態５に係る無線ネットワークシステムの構成図である。図８において、無線ネットワークシステムは、パソコンに代表される情報端末装置１００と、プロジェクタに代表される複数台の情報表示装置２００とから構成される。複数台の情報表示装置２００は、外部に設置された複数台の表示装置４００に情報を表示する。情報端末装置１００、及び情報表示装置２００の構成は、実施の形態１〜４と同様であるので、説明を省略する。
【００６３】
無線ネットワークシステムにおいて、情報表示装置２００が生成した無線ネットワーク情報に、情報端末装置１００から無線接続を行う。本発明では、無線接続が確立される前に、情報端末装置１００の無線接続の進捗状況を、複数台の情報表示装置２００が複数台の表示装置４００に表示する。その際の情報端末装置１００と、複数台の情報表示装置２００との動作について、図９のフローチャートを用いて説明する。
【００６４】
図９は、本発明の実施の形態５に係る無線ネットワークシステムの動作の一例を示すフローチャートである。複数台の情報表示装置２００において、ネットワーク生成部２０１は、無線ネットワーク情報を生成する（ステップＳ９１、９１'、９１''）。ここで生成される無線ネットワーク情報は、本実施の形態ではＳＳＩＤとしており、情報表示装置２００の台数分だけ存在する。
【００６５】
第２の信号生成部２０２は、ステップＳ９１、Ｓ９１’、Ｓ９１’’で生成されたＳＳＩＤを含む信号Ｂ３０２を生成して、周囲に送信する（ステップＳ９２、Ｓ９２’、Ｓ９２’’）。ここで生成される信号Ｂ３０２は、本実施の形態ではＳＳＩＤビーコンを利用しており、情報表示装置２００の台数分だけ存在する。
【００６６】
情報端末装置１００は、ステップＳ９２、Ｓ９２’、Ｓ９２’’で送信された信号Ｂ３０２を、第１の信号解析部１０１で解析することにより、信号Ｂ３０２からＳＳＩＤに含まれる情報を取得することができる（ステップＳ９３）。ここでＳＳＩＤに含まれる情報とは、ＳＳＩＤの文字列に含まれている情報であり、本実施の形態では、情報表示装置２００の台数分の固有識別子、アドレス情報、及び無線チャンネル情報等である。
【００６７】
情報端末装置１００は、ステップＳ９３で取得した情報である、情報表示装置２００の台数分の固有識別子と、情報端末装置１００のユーザ情報と、伝送情報（情報端末装置１００の無線接続の進捗状況）とを文字列情報として含むＳＳＩＤを、第１の信号生成部１０２により生成される信号Ａ３０１によって周囲に送信する（ステップＳ９４）。ここで、ＳＳＩＤに含ませることができる情報は、３２文字となっているため、進捗状況を表示させる情報表示装置２００の台数が多い場合、ＳＳＩＤに台数分の情報表示装置２００の固有識別子を含むことができない場合がある。このような場合には、情報端末装置１００は、ユーザ情報と伝送情報とは同じで、情報表示装置２００の固有識別子だけを変更した別のＳＳＩＤを信号Ａ３０１によって送信する対応が考えられる。
【００６８】
複数台の情報表示装置２００は、ステップＳ９４で送信された信号Ａ３０１を、第２の信号解析部２０３で解析することにより、信号Ａ３０１からＳＳＩＤに含まれる情報を得ることができる（ステップＳ９６、Ｓ９６’、Ｓ９６’’）。本実施の形態では、情報表示装置２００は、ＳＳＩＤの文字列情報に含まれる複数台の情報表示装置２００の固有識別子の中に、一つでも解析を実施した自分と同じ固有識別子が存在する場合、自分宛の情報であると判断して、ＳＳＩＤの文字列情報を次のステップに渡す。情報表示装置２００は、全ての固有識別子が解析を実施した自分の固有識別子と異なる場合には、自分宛でないと判断してＳＳＩＤの文字列情報を破棄する。
【００６９】
情報表示装置２００は、ステップＳ９６、Ｓ９６’、Ｓ９６’’で取得したＳＳＩＤの文字列情報を、表示部２０４を介して、表示装置４００に表示する（ステップＳ９７、Ｓ９７’、Ｓ９７’’）。なお、ステップＳ９８は、ステップＳ９４と同様の処理であり、ステップＳ９９，９９'、９９''及びステップＳ９１０，９１０'，９１０''は、ステップＳ９６、Ｓ９６’、Ｓ９６’’及びステップＳ９７、Ｓ９７’、Ｓ９７’’と同様の処理であるので説明を省略する。
【００７０】
ステップＳ９５で無線接続処理を開始してから任意の時間経過後に、無線接続処理が正常に動作する場合、情報端末装置１００と、複数台の情報表示装置２００との間で、無線接続が確立される（ステップＳ９１００）。
【００７１】
このように、本実施の形態に係る無線ネットワークシステムは、情報端末装置１００と、複数台の情報表示装置２００との間で無線接続が確立される前に、無線接続の進捗状況を、複数台の情報表示装置２００と対応した複数台の表示装置４００に段階的に表示させることができる。
【００７２】
（実施の形態６）
本発明の実施の形態６に係る発明は、複数台の情報端末装置１００の接続処理の進捗状況を、一台の情報表示装置２００を介して、表示装置４００から表示する点が実施の形態１〜４と異なる。図１０は、本発明の実施の形態６に係る無線ネットワークシステムの構成図である。図１０において、無線ネットワークシステムは、パソコンに代表される複数台の情報端末装置１００と、プロジェクタに代表される一台の情報表示装置２００とから構成される。情報表示装置２００は、外部に設置された表示装置４００に情報を表示する。情報端末装置１００、及び情報表示装置２００の構成は、実施の形態１〜４と同様であるので、説明を省略する。
【００７３】
無線ネットワークシステムは、情報表示装置２００が生成した無線ネットワーク情報に、複数台の情報端末装置１００から無線接続を行う。本発明では、無線接続が確立される前に、複数台の情報端末装置１００の無線接続の進捗状況を、一台の情報表示装置２００を用いて、表示装置４００に表示する。その際の複数台の情報端末装置１００と、一台の情報表示装置２００との動作について、図１１のフローチャートを用いて説明する。
【００７４】
図１１は、本発明の実施の形態６に係る無線ネットワークシステムの動作の一例を示すフローチャートである。情報表示装置２００において、ネットワーク生成部２０１は、無線ネットワーク情報を生成する（ステップＳ１１１）。ここで生成される無線ネットワーク情報は、本実施の形態ではＳＳＩＤとしている。
【００７５】
第２の信号生成部２０２は、ステップＳ１１１で生成されたＳＳＩＤを含んだ信号Ｂ３０２を生成して、周囲に送信する（ステップＳ１１２）。ここで生成される信号Ｂ３０２は、本実施の形態ではＳＳＩＤビーコンを利用している。
【００７６】
複数台の情報端末装置１００は、ステップＳ１１２で送信された信号Ｂ３０２を、第１の信号解析部１０１で解析することにより、信号Ｂ３０２からＳＳＩＤに含まれる情報を取得する（ステップＳ１１３、Ｓ１１３’、Ｓ１１３’’）。ここでＳＳＩＤに含まれる情報とは、ＳＳＩＤの文字列に含まれている情報である。
【００７７】
複数台の情報端末装置１００は、ステップＳ１１３、Ｓ１１３’、Ｓ１１３’’で取得した情報である、情報表示装置２００の固有識別子と、情報端末装置１００のユーザ情報と、伝送情報（情報端末装置１００の無線接続の進捗状況）とを文字列情報として含むＳＳＩＤを、第１の信号生成部１０２により生成される信号Ａ３０１によって周囲に送信する（ステップＳ１１４、Ｓ１１４’、Ｓ１１４’’）。
【００７８】
情報表示装置２００は、ステップＳ１１４、Ｓ１１４’、Ｓ１１４’’で複数台の情報端末装置１００から送信された信号Ａ３０１を、第２の信号解析部２０３で解析することにより、信号Ａ３０１からＳＳＩＤに含まれる情報を取得する（ステップＳ１１６）。情報表示装置２００は、ＳＳＩＤの文字列情報に含まれる情報の一つである情報表示装置２００の固有識別子が、自分宛の情報であるか否かを判断して、次のステップに渡すか破棄するかを決める。固有識別子が異なる場合には、自分宛でないと判断してＳＳＩＤの文字列情報を破棄する。本実施の形態では、台数分の信号Ａ３０１を解析するため、台数分の情報端末装置１００のユーザ情報と、伝送情報とが取得できる。
【００７９】
情報表示装置２００は、ステップＳ１１６で取得したＳＳＩＤの文字列情報を、情報端末装置１００の台数分だけ、表示部２０４を介して、表示装置４００に表示する（ステップＳ１１７）。なお、ステップＳ１１８，１１８'，１１８''は、ステップＳ１１４，１１４'，１１４''と同様の処理であり、ステップＳ１１９及びステップＳ１１１０は、ステップＳ１１６及びステップＳ１１７と同様の処理であるので説明を省略する。
【００８０】
このように、本実施の形態に係る無線ネットワークシステムは、複数台の情報端末装置１００の無線接続の進捗状況を、情報表示装置２００の表示部２０４を介して、表示装置４００に表示することができる。
【００８１】
なお、本発明の各実施の形態で述べた情報端末装置１００及び情報表示装置２００が行うそれぞれの処理手順は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、記憶媒体を介して記憶装置内に導入されてもよいし、記憶媒体上から直接実行されてもよい。なお、記憶媒体は、ＲＯＭやＲＡＭやフラッシュメモリ等の半導体メモリ、フレキシブルディスクやハードディスク等の磁気ディスクメモリ、ＣＤ−ＲＯＭやＤＶＤやＢＤ等の光ディスクメモリ、及びメモリカード等をいう。また、記憶媒体は、電話回線や搬送路等の通信媒体を含む概念である。
【００８２】
また、本発明の各実施の形態において、情報端末装置１００及び情報表示装置２００を構成する各機能ブロックは、典型的には、ＣＰＵ（又はプロセッサ）上で動作するプログラムとして実現されるが、その機能の一部または全部を集積回路であるＬＳＩとして実現してもよい。これらのＬＳＩは、個別に１チップ化されても良いし、一部又は全てを含むように１チップ化されても良い。ここでは、ＬＳＩとしたが、集積度の違いにより、ＩＣ、システムＬＳＩ、スーパーＬＳＩ、ウルトラＬＳＩと呼称されることもある。
【００８３】
また、集積回路化の手法はＬＳＩに限るものではなく、専用回路又は汎用プロセッサで実現してもよい。ＬＳＩ製造後に、プログラムすることが可能なＦＰＧＡ（ＦＩＥＬＤ  ＰＲＯＧＲＡＭＭＡＢＬＥ  ＧＡＴＥ  ＡＲＲＡＹ）や、ＬＳＩ内部の回路セルの接続や設定を再構成可能なリコンフィギュラブル・プロセッサーを利用しても良い。
【００８４】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【００８５】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００８６】
本発明は、情報端末装置とプロジェクタ等に代表される情報表示装置との無線接続の進捗状況等を、表示装置に表示させること等に有効である。
【符号の説明】
【００８７】
１００    情報端末装置
１０１    第１の信号解析部
１０２    第１の信号生成部
１０３    ネットワーク接続部
２００    情報表示装置
２０１    ネットワーク生成部
２０２    第２の信号生成部
２０３    第２の信号解析部
２０４    表示部
３０１    信号Ａ
３０２    信号Ｂ
４００    表示装置
【図１】
0005567514.tif 000002
【図２】
0005567514.tif 000003
【図３】
0005567514.tif 000004
【図４】
0005567514.tif 000005
【図５】
0005567514.tif 000006
【図６】
0005567514.tif 000007
【図７Ａ】
0005567514.tif 000008
【図７Ｂ】
0005567514.tif 000009
【図８】
0005567514.tif 000010
【図９】
0005567514.tif 000011
【図１０】
0005567514.tif 000012
【図１１】
0005567514.tif 000013